(57)【要約】【課題】監視対象の履歴データの変化を容易に確認することができる監視装置を得る。【解決手段】監視装置１０は、監視対象である設備機器２からのデータを履歴データとして記憶する履歴データベース１２と、履歴データベース１２に記憶された履歴データの中から指定期間内にプラスマイナス１０％以上の変化があった履歴データを抽出履歴データとして抽出する履歴データ抽出部１５２と、抽出履歴データを表示する表示画面を作成する表示処理部１８を有する。【選択図】図１
2018077620.tif 000002
【特許請求の範囲】
【請求項１】
データ記憶部とデータ抽出部と表示処理部とを有する監視装置であって、
前記データ記憶部は、監視対象からのデータを履歴データとして記憶するものであり、
前記データ抽出部は、前記履歴データの中から決められた期間において決められた割合以上の変化のあった前記履歴データを抽出履歴データとして抽出するものであり、
前記表示処理部は、前記抽出履歴データを表示する表示画面を作成するものである
監視装置。
【請求項２】
前記データ抽出部は、相関履歴データ抽出部を有するものであり、
前記相関履歴データ抽出部は、前記抽出履歴データと予め決められた相関係数以上の相関を有する前記履歴データを抽出相関履歴データとして抽出するものであり、
前記表示処理部は、前記抽出履歴データおよび前記抽出相関履歴データを表示する表示画面を作成するものである
請求項１に記載の監視装置。
【請求項３】
前記データ記憶部は、前記データに加えて前記データに対応させてシステムログインおよび操作の履歴データを補助履歴データとして記憶するものであり、
前記データ抽出部は、前記補助履歴データの中から前記抽出履歴データに対応する前記補助履歴データを抽出補助履歴データとして抽出する補助履歴データ抽出部を有するものであり、
前記表示処理部は、前記抽出履歴データおよび前記抽出補助履歴データを表示する表示画面を作成するものである
請求項１または請求項２に記載の監視装置。
【請求項４】
前記抽出履歴データは複数であって、
前記抽出履歴データの組み合わせを記憶する組み合わせ記憶部を有するものである
請求項１から請求項３のいずれか１項に記載の監視装置。
【請求項５】
前記抽出履歴データに視認性向上処理を行う視認性向上処理部を有するものである
請求項１から請求項４のいずれか１項に記載の監視装置。
【請求項６】
前記表示処理部は、複数同時に表示可能な前記表示画面を作成するものである
請求項１から請求項５のいずれか１項に記載の監視装置。
【発明の詳細な説明】
【技術分野】
【０００１】
本発明は、例えばプラントの複数の設備機器等を監視する監視装置に関する。
【背景技術】
【０００２】
従来、監視対象としての設備機器側の状態や故障を監視する監視装置では、過去に発生した履歴データの確認はリスト形式で表示を行い確認する方法が一般的である。リスト形式で表示させる場合、対象設備や信号の種別、期間等で履歴データを絞り込んでデータを抽出するが、絞り込みを何度か繰り返さないと必要なデータが絞り込めない、絞り込まれたデータもリスト形式であるため選択した信号に着目して確認を行うと他の重要な信号の変化を見逃してしまうおそれがあるという問題があった。
【０００３】
この状況から監視装置として、設備機器に対する過去の一定期間の履歴データを動的に抽出表示させるプレイバック機能が搭載されているものがある。すなわち、複数の設備機器からの計測データの履歴を記憶する計測データ記憶部と、設備機器の計測データに応じて発生するアラームのアラーム情報をタイムスタンプ付きで記憶する履歴ＤＢ（データベース）と、アラームに対応する関連画面の画面情報を記憶するアラーム管理ＤＢ３と、指定されたアラームに対応する関連画面に表示された過去の計測データを時系列に沿った順番で更新していくアラーム管理エンジンであって、アラーム発生時を含む所定期間の計測データを規定の更新間隔で表示し、かつ所定期間の開始時刻まで計測データの表示を早送りするアラーム管理エンジンと、を備えるものが提案されている（例えば、特許文献１参照）。
【先行技術文献】
【特許文献】
【０００４】
【特許文献１】特開平２０１０−２２４８９３号公報
【発明の概要】
【発明が解決しようとする課題】
【０００５】
従来の監視装置は以上のように構成され、指定されたアラームの発生時を含む所定期間の履歴データとしての計測データを規定の更新間隔で表示するので、効率良くアラーム発生前後の計測データを確認できるが、指定されたアラームをキーにして計測データを順次表示するため、その他の計測データの変化に気づきにくく、発見されるべき重要な計測データの変化を見逃すおそれがあった。
【０００６】
この発明は前記のような問題点を解消するためになされたものであり、監視対象の履歴データの変化を容易に確認することができる監視装置を得ることを目的とする。
【課題を解決するための手段】
【０００７】
この発明に係る監視装置においては、
データ記憶部とデータ抽出部と表示処理部とを有する監視装置であって、
前記データ記憶部は、監視対象からのデータを履歴データとして記憶するものであり、
前記データ抽出部は、前記履歴データの中から決められた期間において決められた割合以上の変化のあった前記履歴データを抽出履歴データとして抽出するものであり、
前記表示処理部は、前記抽出履歴データを表示する表示画面を作成するものである。
【発明の効果】
【０００８】
この発明に係る監視装置は、履歴データの中から決められた期間において決められた割合以上の変化のあった履歴データを抽出履歴データとして抽出するデータ抽出部を有するので、監視対象の履歴データの変化を容易に確認することができる。
【図面の簡単な説明】
【０００９】
【図１】この発明の実施の形態１である監視装置の構成を示す構成図である。
【図２】図１の監視装置の動作を説明するためのフローチャートである。
【図３】画面の一例を示す説明図である。
【図４】画面の他の例を示す説明図である。
【図５】実施の形態２である監視装置の構成を示す構成図である。
【図６】図５の監視装置の動作を説明するためのフローチャートである。
【図７】実施の形態３である監視装置の構成を示す構成図である。
【図８】図７の監視装置の動作を説明するためのフローチャートである。
【図９】実施の形態４である監視装置の構成を示す構成図である。
【図１０】図９の監視装置の動作を説明するためのフローチャートである。
【図１１】実施の形態５である監視装置の構成を示す構成図である。
【図１２】図１１の監視装置の動作を説明するためのフローチャートである。
【発明を実施するための形態】
【００１０】
実施の形態１．
図１〜図４は、この発明を実施するための実施の形態１を示すものであり、図１は監視装置の構成を示す構成図、図２は動作を説明するためのフローチャート、図３、図４は画面の一例を示す説明図である。図１において、監視装置１０は、データ入出力部１１、データ記憶部としての履歴データベース１２、管理データベース１３、データ抽出部１５、表示処理部１８を有する。データ抽出部１５は、抽出条件記憶部１５１、履歴データ抽出部１５２、抽出データ記憶部１５３を有する。監視装置１０は、監視対象としての例えばプラントの設備機器２からのデータ（例えば、状態信号や故障信号）を第１中継装置３および第２中継装置４経由で収集する。監視装置１０内では、データ入出力部１１を介して、履歴データベース１２に設備機器２からのデータが履歴データとして蓄積される。
【００１１】
設備機器２からのデータ、例えば第１反応槽、第１冷却水ポンプ等の設備機器ごとのデータ（データセット）は、時刻付きの履歴データとして履歴データベース１２に蓄積される。設備機器２が例えば第１反応槽である場合は、信号項目（設備機器名）は第１反応槽、データセットは［流量（ｔ／ｍｉｎ）、入口温度（℃）、出口温度（℃）］であり、設備機器２が第１冷却水ポンプの場合は、信号項目が第１冷却水ポンプ、データセットは、［流量（ｔ／ｍｉｎ）、入口温度（℃）、出口温度（℃）］となっている（後述の図４のデータＤ１およびＤ２参照）。データセットは監視対象（信号項目）や監視内容に応じて適宜設定される。また、信号項目に関連付けられた警報設定、表示画面情報等の管理情報は管理データベース１３に格納されている。
【００１２】
データ抽出部１５にて抽出された情報（抽出履歴データ）は、表示処理部１８を介して表示装置８へ表示され、運用者への情報提供が行なわれる。なお、履歴データ抽出部１５２には、対象期間（所定期間）において、何パーセント以上変化した信号項目のデータを取り出すかの抽出基準、つまり抽出基準とする変化幅が記憶されている。この実施の形態においては、例えば指定期間の最初の値を基準としてプラスマイナス１０％以上変化したデータを抽出するように設定されているものとする。なお、この値は、任意に設定できる。また、抽出するデータは、データセットではなく、単独のデータ例えば冷却水ポンプについて、電力（ｋＷ）、吐出圧力（ｋＰａ）、吐出水量（ｔ／ｍｉｎ）を個別に抽出するものであってもよい。
【００１３】
次に、動作について図２のフローチャートにより説明する。図２において、動作は、抽出条件設定（ステップＳ１０）、履歴データ抽出（ステップＳ２１）、画面表示処理（ステップＳ３０）にて構成される。抽出条件設定（ステップＳ１０）の抽出表示設定（ステップＳ１１）において信号項目が指定されずに抽出の対象期間が設定されると（ステップＳ１２）、抽出すべきデータの範囲として対象期間の全信号項目を指定信号項目として指定し（ステップＳ１３）、フラグを０に設定する（ステップＳ１４）。抽出すべき信号項目が指定されていると（ステップＳ１２）、抽出すべき指定信号項目として対象期間における指定された信号項目を指定し（ステップＳ１５）、フラグを１に設定する（ステップＳ１６）。これらの抽出期間、抽出すべき信号項目（指定信号項目（例えば設備機器名））、フラグは、前記抽出基準とともに抽出条件記憶部１５１に抽出条件として記憶される。
【００１４】
履歴データ抽出部１５２は、抽出条件記憶部１５１から抽出条件を読み込み、当該抽出条件に合致する履歴データ（指定信号項目のデータ）を履歴データベース１２から抽出し、抽出履歴データとして抽出データ記憶部１５３に記憶させる（ステップＳ２１）。つまり、データ抽出部１５は、抽出データ記憶部１５３に記憶された履歴データの中から基準とされるデータセットＤＳ０（この実施の形態においては、対象期間における最初の時刻（厳密にはデータセットが存在する最初の時刻）におけるデータセット）の値を基準値にして予め設定された変化幅以上変化したデータを含む信号項目のデータセットを抽出する。例えば、指定信号項目として第１反応槽冷却水が指定されている場合、指定期間の最初の時刻（日付２０１６／１０／１６  時刻０６：２５：３０）のデータセットＤＳ０（図３参照）の値を基準にして、プラスマイナス１０％（規定割合）以上変化したデータセットＤＳ１，ＤＳ２を選択する（図３におけるＤＳ１，ＤＳ２参照）。
【００１５】
画面表示処理（ステップＳ３０）において、表示処理部１８は、所定幅以上の変化があった信号項目に関する表示画面構成データを自己の保有する画面構成データベースの中からから取得して（表示画面構成データ取得：ステップＳ３１）、フラグが０の場合は（ステップＳ３２）、時系列に沿って表示順を決定し、変化のあった信号項目に関するデータセットの画面を表示画面Ｄ１として作成し表示装置８に順次表示する（ステップＳ３３）。
【００１６】
表示される画面は、例えば図３に示すデータＤ１のようなものであり、行番０が基準とされるデータセットＤＳ０の値、行番１がデータセットＤＳ１（２０１６年１０月１６日の午前６時３５分００秒における流量５．１５（ｔ／ｍｉｎ）、入口温度２１．６（℃）、出口温度５９．４（℃））であり、この出口温度５９．４（℃）の基準値（行番０）に対する割合が（５９．４／５３．２）×１００％＝１１１．６％となっているので、履歴データ抽出部１５２により抽出条件に合致するデータを含むデータセットＤＳ１が抽出履歴データとして抽出され表示される。行番２のデータセットＤＳ２についても同様である。また、他の指定信号項目のデータセットのなかのデータに抽出基準に合致するデータを含むものがあれば、当該データセットも抽出履歴データとして抽出される。
【００１７】
ステップＳ３２において、フラグが１の場合は、表示処理部１８により例えば図４に示すような複数の画面（データＤ１およびデータＤ２）が作成され、表示装置８に複数の画面が同時に表示される（ステップＳ３４）。
【００１８】
以上のように、抽出表示設定（ステップＳ１１）において抽出すべき特定の信号項目を選択（設定）しないで、あるいは選択することができず、単に期間設定のみを行った再生表示においても信号項目の変化を見逃すことなく確認することができる。また、抽出すべき信号項目が設定されている場合、すなわち取り出すべき信号項目がはっきりしている場合には、指定された関連する画面を複数画面同時に表示することにより、変化したデータをより視認性高く把握することができる。
【００１９】
実施の形態２．
図５、図６は、実施の形態２を示すものであり、図５は監視装置の構成を示す構成図、図６は動作を説明するためのフローチャートである。図５において、監視装置２０は、データ抽出部２５を有する。データ抽出部２５は、相関履歴データ抽出部２４１、抽出データ記憶部２５３を有する。抽出データ記憶部２５３は、履歴データ抽出部１５２にて抽出された抽出履歴データに加えて相関履歴データ抽出部２４１にて抽出された抽出相関履歴データを記憶する。その他の構成については、図１に示した実施の形態１と同様のものであるので、相当するものに同じ符号を付して説明を省略する。
【００２０】
この実施の形態においては、図６のフローチャートの抽出条件設定のステップＳ４０の中のステップＳ４１において、指定信号項目と強い相関（相関係数０．７〜１程度）を有する信号項目である相関信号項目を抽出対象に加えるように指定する（相関信号項目追加指定）。ステップＳ４２において相関履歴データ抽出部２４１は、履歴データベース１２から指定信号項目をキーにして相関信号項目を取り出し、抽出データ記憶部２５３に記憶させる。ステップＳ３０において、表示処理部１８は、指定信号項目のデータセットの中から基準値以上の変化があった信号項目のデータセット（抽出履歴データ）と、ステップＳ６２において取り出された相関信号項目（抽出相関履歴データ）を表示装置８に例えば並べて表示する。
【００２１】
相関信号項目は、例えば第１反応槽の冷却水が冷却塔で冷却され水が循環されるプラントであれば、指定信号項目が第１反応槽冷却水である場合、関連信号項目として冷却塔が指定される。冷却塔のデータセットとして、例えば冷却風流量（立方メートル／毎分）、冷却風湿球温度（℃）のデータが表示装置８に表示される。なお、この関連信号項目は、参考に表示することが目的であるから、所定幅以上の変化があったか否かを条件としないで、ステップＳ２１で抽出された信号項目（抽出履歴データ）をキーにして相関の高い信号項目のデータセットを抽出して表示する。
【００２２】
これにより、指定信号項目および指定信号項目と強い相関を有する信号項目とが併せて抽出され表示されるので、例えば第１反応槽の冷却水の入口温度が急に上昇した場合に、密接な関係を有する冷却塔の状態を併せて把握することができ、監視や事象の解析が一層容易になる。
【００２３】
実施の形態３．
図７、図８は、実施の形態３を示すものであり、図７は監視装置の構成を示す構成図、図９は動作を説明するためのフローチャートである。図７において、監視装置３０は、データ記憶部としての履歴データベース３２、データ抽出部３５を有する。データ抽出部３５は、補助履歴データ抽出部３５１、抽出データ記憶部３５３を有する。履歴データベース３２には、設備機器２のデータに加えて、監視装置３０へのシステムログイン情報、操作情報（抽出表示の履歴、帳票印字、遠隔制御操作など）の補助データも補助履歴データとして蓄積される。抽出データ記憶部３５３は、履歴データ抽出部１５２にて抽出された抽出履歴データ、相関履歴データ抽出部２４１にて抽出された抽出相関履歴データ、補助履歴データ抽出部３５１にて抽出された抽出補助履歴データを記憶する。その他の構成については、図５に示した実施の形態２と同様のものであるので、相当するものに同じ符号を付して説明を省略する。
【００２４】
この実施の形態においては、図８のフローチャートのステップＳ５１において、補助履歴データ抽出部３５１は、ステップＳ２１にて抽出された信号項目をキーにして、運用者が行うシステムログインや操作情報などの補助履歴データを履歴データベース３２から抽出し抽出データ記憶部３５３に記憶させる。画面表示処理（ステップＳ３０）において、表示処理部１８が、抽出された抽出補助履歴データに対応する表示画面構成データを自己の保有する表示画面構成データベースから取得し、抽出履歴データ、抽出相関データと併せて表示画面を作成し、表示装置８に表示する。
【００２５】
これにより、設備機器側の挙動（信号項目のデータセット中のデータの変化）と運用者側の操作との時系列的な関連を的確に把握することができる。
【００２６】
実施の形態４．
図９、図１０は、実施の形態４を示すものであり、図９は監視装置の構成を示す構成図、図１０は動作を説明するためのフローチャートである。図９において、監視装置４０は、視認性向上処理部としてのデータマーキング部４１を有する。その他の構成については、図７に示した実施の形態３と同様のものであるので、相当するものに同じ符号を付して説明を省略する。この実施の形態においては、図１０のフローチャートのステップＳ６１に示すように、データマーキング部４１が抽出履歴データのデータセット中のプラスマイナス１０％以上の変化のあったデータに対してマーキングを行い、表示処理部１８を介して表示装置８に表示する。なお、マーキングの代わりにデータの色を変える、点滅させるなどの視認性向上処理により視認性を向上させることもできる。
【００２７】
これにより、変化のあったデータの視認性が更に向上し、確認漏れを低減することができる。
【００２８】
実施の形態５．
図１１、図１２は、実施の形態５を示すものであり、図１１は監視装置の構成を示す構成図、図１２は動作を説明するためのフローチャートである。図１１において、監視装置５０は、組み合わせ記憶部としての監視パターン登録部５１を有する。その他の構成については、図９に示した実施の形態３と同様のものであるので、相当するものに同じ符号を付して説明を省略する。この実施の形態においては、図１２のフローチャートのステップＳ７１において、監視パターン登録部５１は、ステップＳ２１において抽出された信号項目およびステップＳ４２において抽出された相関信号項目の各データ（データセット）（抽出履歴データおよび抽出相関履歴データ）の変化のパターンが今後監視すべき重要な監視パターンであると判断された場合に、監視パターンとして登録する。
【００２９】
以上のように、この実施の形態によれば、抽出履歴データとして抽出された信号項目や抽出相関履歴データとして抽出された相関信号項目のデータの変化のパターンが、監視すべき重要な監視パターンと判断されたとき登録するようにしたので、この登録された監視パターンを参照することができるので、運用者のスキルに依存しない監視が可能となる。
【００３０】
なお、本発明は、その発明の範囲内において、上述した各実施の形態を自由に組み合わせたり、各実施の形態を適宜、変更、省略したりすることが可能である。
【符号の説明】
【００３１】
２  設備機器、８  表示装置、１０  監視装置、１１  データ入出力部、
１２  履歴データベース、１３  管理データベース、１５  データ抽出部、
１８  表示処理部、２０  監視装置、２５  データ抽出部、３０  監視装置、
３２  履歴データベース、３５  データ抽出部、４０  監視装置、
４１  データマーキング部、５０  監視装置、５１  監視パターン登録部、
１５１  抽出条件記憶部、１５２  履歴データ抽出部、１５３  抽出データ記憶部、
２４１  相関履歴データ抽出部、２５３  抽出データ記憶部、
３５１  補助履歴データ抽出部、３５３  抽出データ記憶部。
【図１】
2018077620.tif 000003
【図２】
2018077620.tif 000004
【図３】
2018077620.tif 000005
【図４】
2018077620.tif 000006
【図５】
2018077620.tif 000007
【図６】
2018077620.tif 000008
【図７】
2018077620.tif 000009
【図８】
2018077620.tif 000010
【図９】
2018077620.tif 000011
【図１０】
2018077620.tif 000012
【図１１】
2018077620.tif 000013
【図１２】
2018077620.tif 000014